【手続補正書】
【提出日】平成15年11月20日(2003.11.20)
【手続補正１】
【補正対象書類名】明細書
【補正対象項目名】発明の名称
【補正方法】変更
【補正の内容】
【発明の名称】ディスク状記録媒体並びにそれを用いる情報記録再生装置及び方法
【手続補正２】
【補正対象書類名】明細書
【補正対象項目名】特許請求の範囲
【補正方法】変更
【補正の内容】
【特許請求の範囲】
【請求項１】
表面の一部もしくは格納体における所定箇所に整理記号が記されるとともに、環状記録トラックが形成される情報記録領域の所定部分に上記整理記号をあらわす情報信号についての記録がなされたことを特徴とするディスク状記録媒体。
【請求項２】
上記整理記号をあらわす情報信号についての記録がなされた情報記録領域の所定部分が、上記情報記録領域における環状記録トラックのうちの最内周トラックが形成される部分もしくはその近傍の部分とされることを特徴とする請求項１記載のディスク状記録媒体。
【請求項３】
表面の一部もしくは格納体における所定箇所に整理記号が記されるとともに、環状記録トラックが形成される情報記録領域の所定部分に上記整理記号をあらわす情報信号についての記録がなされたディスク状記録媒体が装着されるディスク装着部と、
該ディスク装着部に装着されたディスク状記録媒体に対する情報信号についての記録もしくは上記ディスク装着部に装着されたディスク状記録媒体から記録信号についての読取りを行うヘッド部と、
該ヘッド部に情報信号に基づく記録信号を供給する記録系形成部と、
上記ヘッド部から得られる読取信号に基づいて情報信号を再生する再生系形成部と、
情報信号を格納できるメモリ部を有し、上記再生系形成部により再生された上記ディスク装着部に装着されたディスク状記録媒体に係る整理記号をあらわす情報信号を上記メモリ部に格納するとともに、上記ディスク装着部に装着されるディスク状記録媒体の交換がなされたときには、上記記録系形成部及び上記ヘッド部により、上記交換後に上記ディスク装着部に装着されたディスク状記録媒体に、上記交換前に上記ディスク装着部に装着されたディスク状記録媒体から再生された整理記号をあらわす情報信号についての記録がなされる状態となす動作制御部と、
を備えて構成されるディスク状記録媒体を用いる情報記録再生装置。
【請求項４】
上記ディスク状記録媒体における整理記号をあらわす情報信号についての記録が、該ディスク状記録媒体の情報記録領域における環状記録トラックのうちの最内周トラックが形成される部分もしくはその近傍の部分になされたことを特徴とする請求項３記載のディスク状記録媒体を用いる情報記録再生装置。
【請求項５】
上記動作制御部が、再生系形成部により得られる再生情報信号から整理記号をあらわす情報信号を検出する整理記号検出部を備えることを特徴とする請求項３または４記載のディスク状記録媒体を用いる情報記録再生装置。
【請求項６】
上記動作制御部が、交換後にディスク装着部に装着されたディスク状記録媒体に対する、交換前に上記ディスク装着部に装着されたディスク状記録媒体から再生された整理記号をあらわす情報信号についての記録が、上記交換後にディスク装着部に装着されたディスク状記録媒体に対する新たな情報信号についての記録が開始されるに際して行われるようになすことを特徴とする請求項４または５記載のディスク状記録媒体を用いる情報記録再生装置。
【請求項７】
ディスク装着部に装着された、表面の一部もしくは格納体における所定箇所に整理記号が記されるとともに、環状記録トラックが形成される情報記録領域の所定部分に上記整理記号をあらわす情報信号についての記録がなされたディスク状記録媒体から、記録信号についての読取りを行い、該読取りにより得られる記録信号に基づいて上記情報信号を再生して、再生された情報信号をメモリ部に格納し、上記ディスク装着部に装着されるディスク状記録媒体の交換がなされたときには、該交換後に上記ディスク装着部に装着されたディスク状記録媒体に、上記交換前に上記ディスク装着部に装着されたディスク状記録媒体から再生された情報信号を記録するディスク状記録媒体を用いる情報記録再生方法。
【手続補正３】
【補正対象書類名】明細書
【補正対象項目名】０００１
【補正方法】変更
【補正の内容】
【０００１】
【発明の属する技術分野】
本願発明は、情報信号についての記録及び記録信号の読取りが可能とされるディスク状記録媒体、並びに、このようなディスク状記録媒体を用いて、情報信号に基づく記録信号の記録、もしくは、記録信号の読取り及びそれにより得られる読取信号に基づく情報信号の再生を行う情報記録再生装置及び方法に関する。


【手続補正４】
【補正対象書類名】明細書
【補正対象項目名】００１１
【補正方法】変更
【補正の内容】
【００１１】
また、本願の特許請求の範囲における請求項３から請求項７までのいずれかに記載された発明は、本願の特許請求の範囲における請求項１または請求項２に記載された発明に係るディスク状記録媒体を用いるもとで、そのディスク状記録媒体を、情報信号に基づく記録信号が記録された状態において、他のものからの区別が視覚によっても機械的手段によっても極めて容易かつ確実に行われるものとすることができ、かつ、その複数個が情報信号に基づく記録信号の記録が順次行われて、夫々に記録された記録信号のうちの目的に応じて選択される部分に関する編集に供されるとき、斯かる編集が極めて容易に行われるとともに、自動的に行われるようにされることも可能とすることができる、ディスク状記録媒体を用いる情報記録再生装置及び方法を提供する。


【手続補正５】
【補正対象書類名】明細書
【補正対象項目名】００１４
【補正方法】変更
【補正の内容】
【００１４】
また、本願の特許請求の範囲における請求項３から請求項６までのいずれかに記載された発明に係るディスク状記録媒体を用いる情報記録再生装置は、表面の一部もしくは格納体における所定箇所に整理記号が記されるとともに、環状記録トラックが形成される情報記録領域の所定部分に、表面の一部もしくは格納体における所定箇所に記された整理記号と同じ整理記号をあらわす情報信号についての記録がなされたディスク状記録媒体が装着されるディスク装着部と、ディスク装着部に装着されたディスク状記録媒体に対する情報信号についての記録もしくはディスク装着部に装着されたディスク状記録媒体から記録信号についての読取りを行うヘッド部と、ヘッド部に情報信号に基づく記録信号を供給する記録系形成部と、ヘッド部から得られる読取信号に基づいて情報信号を再生する再生系形成部と、情報信号を格納できるメモリ部を有し、再生系形成部により再生されたディスク装着部に装着されたディスク状記録媒体に係る整理記号をあらわす情報信号をメモリ部に格納するとともに、ディスク装着部に装着されるディスク状記録媒体の交換がなされたときには、記録系形成部及びヘッド部により、交換後にディスク装着部に装着されたディスク状記録媒体に、交換前にディスク装着部に装着されたディスク状記録媒体から再生された整理記号をあらわす情報信号についての記録がなされる状態となす動作制御部とを備えて構成される。さらに、本願の特許請求の範囲における請求項７に記載された発明に係るディスク状記録媒体を用いる情報記録再生方法は、ディスク装着部に装着された、表面の一部もしくは格納体における所定箇所に整理記号が記されるとともに、環状記録トラックが形成される情報記録領域の所定部分に、表面の一部もしくは格納体における所定箇所に記された整理記号と同じ整理記号をあらわす情報信号についての記録がなされたディスク状記録媒体から、記録信号についての読取りを行い、その読取りにより得られる記録信号に基づいてディスク状記録媒体に係る整理記号をあらわす情報信号を再生して、再生された情報信号をメモリ部に格納し、ディスク装着部に装着されるディスク状記録媒体の交換がなされたときには、その交換後にディスク装着部に装着されたディスク状記録媒体に、交換前にディスク装着部に装着されたディスク状記録媒体から再生された情報信号を記録するものとされる。
【手続補正６】
【補正対象書類名】明細書
【補正対象項目名】００１６
【補正方法】変更
【補正の内容】
【００１６】
このように構成される本願の特許請求の範囲における請求項３から請求項６までのいずれかに記載された発明に係るディスク状記録媒体を用いる情報記録再生装置、及び、本願の特許請求の範囲における請求項７に記載された発明に係るディスク状記録媒体を用いる情報記録再生方法にあっては、表面の一部もしくは格納体における所定箇所に整理記号が記されるとともに、環状記録トラックが形成される情報記録領域の所定部分に、表面の一部もしくは格納体における所定箇所に記された整理記号と同じ整理記号をあらわす情報信号についての記録がなされたディスク状記録媒体、即ち、特許請求の範囲における請求項１または請求項２に記載された発明に係るディスク状記録媒体がディスク装着部に装着されるもとで、ディスク装着部に装着されるディスク状記録媒体の交換がなされたときには、交換後にディスク装着部に装着されたディスク状記録媒体に、交換前にディスク装着部に装着されていたディスク状記録媒体から再生された整理記号をあらわす情報信号についての記録がなされるようにする制御が行われる。
【手続補正７】
【補正対象書類名】明細書
【補正対象項目名】００１７
【補正方法】変更
【補正の内容】
【００１７】
従って、本願の特許請求の範囲における請求項３から請求項６までのいずれかに記載された発明に係るディスク状記録媒体を用いる情報記録再生装置、及び、本願の特許請求の範囲における請求項７に記載された発明に係るディスク状記録媒体を用いる情報記録再生方法により情報信号に基づく記録信号の記録がなされたディスク状記録媒体は、他のものからの区別が視覚によっても機械的手段によっても極めて容易かつ確実に行われるものとされるに加えて、その複数個が情報信号に基づく記録信号の記録が順次行われて、夫々に記録された記録信号のうちの目的に応じて選択される部分に関する編集に供されるとき、斯かる編集が極めて容易に行われるとともに、自動的に行われるようにされることも可能とされることになる。


【手続補正８】
【補正対象書類名】明細書
【補正対象項目名】００２９
【補正方法】変更
【補正の内容】
【００２９】
図１は、本願の特許請求の範囲における請求項７に記載された発明に係るディスク状記録媒体を用いる情報記録再生方法の一例が実施される、本願の特許請求の範囲における請求項３から請求項６までのいずれかに記載された発明に係るディスク状記録媒体を用いる情報記録再生装置の一例を示し、この例は携帯型映像及び音声記録再生装置を構成している。斯かる図１に示される例においては、上述の如くのカートリッジ１５内に格納されたディスクＤが、回転するディスク装着部２１に装着される（カートリッジ１５については図示が省略されている）。


【手続補正９】
【補正対象書類名】明細書
【補正対象項目名】００７２
【補正方法】変更
【補正の内容】
【００７２】
また、本願の特許請求の範囲における請求項３から請求項６までのいずれかに記載された発明に係るディスク状記録媒体を用いる情報記録再生装置、及び、本願の特許請求の範囲における請求項７に記載された発明に係るディスク状記録媒体を用いる情報記録再生方法にあっては、特許請求の範囲における請求項１または請求項２に記載された発明に係るディスク状記録媒体がディスク装着部に装着されるもとで、ディスク装着部に装着されるディスク状記録媒体の交換がなされたときには、交換後にディスク装着部に装着されたディスク状記録媒体に、交換前にディスク装着部に装着されたディスク状記録媒体から再生された整理記号をあらわす情報信号についての記録がなされるようにする制御が行われる。
【手続補正１０】
【補正対象書類名】明細書
【補正対象項目名】００７３
【補正方法】変更
【補正の内容】
【００７３】
従って、本願の特許請求の範囲における請求項３から請求項６までのいずれかに記載された発明に係るディスク状記録媒体を用いる情報記録再生装置、及び、本願の特許請求の範囲における請求項７に記載された発明に係るディスク状記録媒体を用いる情報記録再生方法により情報信号に基づく記録信号の記録がなされたディスク状記録媒体は、他のものからの区別を視覚によっても機械的手段によっても極めて容易かつ確実に行うことができ、しかも、その複数個が情報信号に基づく記録信号の記録が順次行われて、夫々に記録された記録信号のうちの目的に応じて選択される部分に関する編集に供されるとき、斯かる編集を極めて容易に行うことができるとともに、自動的に行われるようになすこともできるものとされる。


【手続補正１１】
【補正対象書類名】明細書
【補正対象項目名】図１
【補正方法】変更
【補正の内容】
【図１】本願の特許請求の範囲における請求項７に記載された発明に係るディスク状記録媒体を用いる情報記録再生方法の一例が実施される、本願の特許請求の範囲における請求項３から請求項６までのいずれかに記載された発明に係るディスク状記録媒体を用いる情報記録再生装置の一例を示すブロック構成図である。